(57)【要約】      （修正有）【課題】従来のゴキブリ退治、捕獲用器材は任意に、適当に、そして不安定に置いてあるだけであるため、まったくゴキブリが退治できるという状況にはなかった。【解決手段】ゴキブリの巣、小さい穴の周りを必要な長さにしたテープを、あらゆる個所に貼りつけることによって囲みこみ、またゴキブリの通り道を広く囲むことによってゴキブリの動きを封じ、一網打尽に粘着剤で捕獲できる。【選択図】図１
0003102637.tif 000002
【実用新案登録請求の範囲】
【請求項１】
ゴキブリが通れば粘着し、動きのとれなくなる粘着剤をテープ状の基盤に塗布し、裏面は接着剤を部分的に塗布する
【請求項２】
粘着剤塗布基盤テープの粘着剤塗布面は黒っぽくする
【請求項３】
ゴキブリが通れば粘着し、動きのとれなくなる粘着剤をテープ上の基盤に塗布し、裏面は接着剤を塗布する
【考案の詳細な説明】
【考案の詳細な説明】
【０００１】（１）    テープ状の基盤にゴキブリが通れば粘着し、動きが取れなくなる粘着剤を塗布し、ゴキブリを捕獲することを目的とする
（２）    ゴキブリが通る面を黒っぽくする
（３）    基盤テープの裏面に固定用接着剤を部分的に塗布する
（４）    基盤テープは可撓性を持ち、長手方向に限りなく長く出来るものとする
（５）    基盤テープには長手方向に３０ｃｍ〜５０ｃｍ刻みでミシン目を入れ、適当な長さで容易に切断し使用できるようにする
（６）    ゴキブリ捕獲面と裏面に接着防止テープを貼付し、使用前は他のものと接着しないようにする
（７）    使用前のゴキブリ捕獲テープは可撓性を持っているため丸め込んだ形で収納する
【技術分野】
【０００２】本考案は、ゴキブリを捕獲するための器具として、ゴキブリの通るところを広く網羅し捕獲する技術に関するものである
【考案が解決しようとする課題】
【０００４】ゴキブリ捕獲用粘着材を塗布したテープ状の器材を、適当な長さで、テープ裏面の接着剤によってあらゆる場所（下向き面にさえ）に接着させることが出来るため、ゴキブリの出そうな穴の付近、またテープを長く使用することによってゴキブリの通り道を広く、閉鎖的に囲い込むことが出来、ゴキブリの動きを封じ捕獲できる。飲食店のみならず、家庭でもゴキブリを退治でき、衛生面で大きな前進を得ることの出来るものである
【図面の簡単な説明】
【図１】テープ式ゴキブリ捕獲器を示した平面図である  図１のＡの部分に粘着剤が塗布されている、またＡの部分が黒っぽくなっている  図１のＣの部分はガムテープ状のテープ本体である
【図２】図２はテープ式捕獲器を示した断面図である  Ａの部分は粘着剤が塗布されている  Ｂの部分は壁、天井と、床などに接着するように接着剤が部分的に塗布されている  Ｃの部分はテープ状の本体である
【図１】
0003102637.tif 000003
【図２】
0003102637.tif 000004
【手続補正書】
【提出日】平成15年11月2日(2003.11.2)
【手続補正１】
【補正対象書類名】実用新案登録請求の範囲
【補正対象項目名】請求項１
【補正方法】変更
【補正の内容】
【請求項１】  ゴキブリとか害虫が通れば粘着し、動きの取れなくなる粘着剤をテープ状の基盤に塗布し、裏面は接着剤を部分的に塗布する【手続補正２】
【補正対象書類名】実用新案登録請求の範囲
【補正対象項目名】請求項３
【補正方法】変更
【補正の内容】
【請求項３】  ゴキブリとか害虫が通れば粘着し、動きの取れなくなる粘着剤をテープ状の基盤に塗布し、裏面は接着剤を塗布する【手続補正４】
【補正対象書類名】明細書
【補正対象項目名】考案の詳細な説明
【補正方法】変更
【補正の内容】
【考案の詳細な説明】【０００１】（１）  テープ状の基盤にゴキブリとか害虫が通れば粘着し、動きが取れなくなる粘着剤を塗布し、ゴキブリとか害虫を捕獲することを目的とする（２）  ゴキブリとか害虫が通る面を黒っぽくする（３）  基盤テープの裏面に固定用接着剤を部分的に塗布する（４）  基盤テープは可撓性を持ち、長手方向に限りなく長く出来るものとする（５）  基盤テープには長手方向に約５ｃｍから５０ｃｍ刻みでミシン目を入れ、ミシン目の両側は数ミリ粘着剤及び固定用接着剤を塗布しないので、適当な長さに容易に切断し使用できるようにする（６）  ゴキブリとか害虫捕獲面と裏面に接着防止テープを貼付し、使用前は他のものと接着しないようにする（７）  使用前のゴキブリ害虫捕獲テープは可撓性を持っているため丸め込んだ形で収納する（８）  ゴキブリ害虫捕獲テープの幅によっては、餌を置く事もできる【手続補正５】
【補正対象書類名】明細書
【補正対象項目名】考案の属する技術分野
【補正方法】変更
【補正の内容】
【考案の属する技術分野】【０００２】本考案は、ゴキブリとか害虫を捕獲するための器具として、ゴキブリとか害虫の通るところを広く網羅し捕獲する技術に関するものである【手続補正６】
【補正対象書類名】明細書
【補正対象項目名】実施例
【補正方法】追加
【補正の内容】
【実施例】【０００３】（１）  ゴキブリとか害虫は、特に部屋の隅の方を用心深く通るので、壁面から床面に直角に設置すると効果的である（２）  場所を選んで設置すれば、ムカデ、ねずみも捕獲出来る利点がある（３）  天井から縦長に裏面同士を貼り合わせて吊り下げると、ハエ取りにも出来、用途は多彩である【手続補正７】
【補正対象書類名】明細書
【補正対象項目名】考案が解決しようとする課題
【補正方法】変更
【補正の内容】
【考案が解決しようとする課題】【０００４】  ゴキブリ害虫捕獲用粘着剤を塗布したテープ状の器材を、適当な長さで、テープ裏面の接着剤によってあらゆる場所（下向き面にさえ）に接着させることが出来るため、ゴキブリとか害虫の出そうな穴の付近、またテープを長く使用することによって、ゴキブリとか害虫の通り道を広く、閉鎖的に囲い込むことが出来、ゴキブリとか害虫の動きを封じ捕獲できる。  飲食店のみならず、家庭でもゴキブリとか害虫を退治出来、衛生面でも精神面でも大きな前進を得る事の出来るものである【手続補正８】
【補正対象書類名】明細書
【補正対象項目名】図面の簡単な説明
【補正方法】変更
【補正の内容】
【図面の簡単な説明】【図１】テープ式ゴキブリ害虫捕獲器を示した平面図である  図１のＡの部分に粘着剤が塗布されている。またＡの部分が黒っぽくなっている  図１のＣの部分は、ガムテープ状のテープ本体である【図２】図２はテープ式ゴキブリ害虫捕獲器を示した断面図である  Ａの部分は粘着剤が塗布されている  ミシン目の両側は数ミリ粘着剤及び固定用接着剤を塗布しない  Ｂの部分は壁、天井と床などに接着するように接着剤が部分的に塗布されている  Ｃの部分はテープ状の本体である【手続補正書】
【提出日】平成15年11月15日(2003.11.15)
【手続補正１】
【補正対象書類名】実用新案登録請求の範囲
【補正対象項目名】請求項１
【補正方法】変更
【補正の内容】
【請求項１】
ゴキブリとか害虫が通れば粘着し、動きの取れなくなる粘着剤をテープ状の基盤に塗布し、裏面は接着剤を部分的に塗布したゴキブリ害虫捕獲テープ
【手続補正２】
【補正対象書類名】実用新案登録請求の範囲
【補正対象項目名】請求項２
【補正方法】変更
【補正の内容】
【請求項２】
粘着剤塗布基盤テープの粘着剤塗布面は黒っぽくしたゴキブリ害虫捕獲テープ
【手続補正３】
【補正対象書類名】実用新案登録請求の範囲
【補正対象項目名】請求項３
【補正方法】変更
【補正の内容】
【請求項３】
ゴキブリとか害虫が通れば粘着し、動きの取れなくなる粘着剤をテープ状の基盤に塗布し、裏面は接着剤を塗布したゴキブリ害虫捕獲テープ
【手続補正書】
【提出日】平成16年2月25日(2004.2.25)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【考案の詳細な説明】
【０００１】（１）  テープ状の基盤にゴキブリとか害虫が通れば粘着し、動きが取れなくなる粘着剤を塗布し、ゴキブリとか害虫を捕獲することを目的とする
（２）  ゴキブリとか害虫が通る面を黒っぽくする
（３）  基盤テープの裏面に固定用接着剤を部分的に塗布する
（４）  基盤テープは可撓性を持ち、長手方向に限りなく長く出来るものとする
（５）  基盤テープには長手方向に約５ｃｍから５０ｃｍ刻みでミシン目を入れ、ミシン目の両側は数ミリ粘着剤及び固定用接着剤を塗布しないので、適当な長さに容易に切断し使用できるようにする
（６）  ゴキブリとか害虫捕獲面と裏面に接着防止テープを貼付し、使用前は他のものと接着しないようにする
（７）  使用前のゴキブリ害虫捕獲テープは可撓性を持っているため丸め込んだ形で収納する
（８）  ゴキブリ害虫捕獲テープの幅によっては、餌を置く事もできる
【技術分野】
【０００２】本考案は、ゴキブリとか害虫を捕獲するための器具として、ゴキブリとか害虫の通るところを広く網羅し捕獲する技術に関するものである。
【実施例】
【０００３】（１）  ゴキブリとか害虫は、特に部屋の隅の方を用心深く通るので、壁面から床面に直角に設置すると効果的である
（２）  場所を選んで設置すれば、ムカデ、ねずみも捕獲出来る利点がある
（３）  天井から縦長に裏面同士を貼り合わせて吊り下げると、ハエ取りにも出来、用途は多彩である
【考案が解決しようとする課題】
【０００４】ゴキブリ害虫捕獲用粘着剤を塗布したテープ状の器材を、適当な長さで、テープ裏面の接着剤によってあらゆる場所（下向き面にさえ）に接着させることが出来るため、ゴキブリとか害虫の出そうな穴の付近、またテープを長く使用することによって、ゴキブリとか害虫の通り道を広く、閉鎖的に囲い込むことが出来、ゴキブリとか害虫の動きを封じ捕獲できる。
飲食店のみならず、家庭でもゴキブリとか害虫を退治出来、衛生面でも精神面でも大きな前進を得る事の出来るものである。
【図面の簡単な説明】
【０００５】
【図１】  テープ式ゴキブリ害虫捕獲器を示した平面図である  図１のＡの部分に粘着剤が塗布されている。またＡの部分が黒っぽくなっている  図１のＣの部分は、ガムテープ状のテープ本体である
【図２】  図２はテープ式ゴキブリ害虫捕獲器を示した断面図である  Ａの部分は粘着剤が塗布されている  ミシン目の両側は数ミリ粘着剤及び固定用接着剤を塗布しない  Ｂの部分は壁、天井と床などに接着するように接着剤が部分的に塗布されている  Ｃの部分はテープ状の本体である
【手続補正３】
【補正対象書類名】手続補正書
【補正対象項目名】手続補正４
【補正方法】削除
【補正の内容】
【手続補正４】
【補正対象書類名】手続補正書
【補正対象項目名】手続補正５
【補正方法】削除
【補正の内容】
【手続補正５】
【補正対象書類名】手続補正書
【補正対象項目名】手続補正６
【補正方法】削除
【補正の内容】
【手続補正６】
【補正対象書類名】手続補正書
【補正対象項目名】手続補正７
【補正方法】削除
【補正の内容】
【手続補正７】
【補正対象書類名】手続補正書
【補正対象項目名】手続補正８
【補正方法】削除
【補正の内容】